(57)【特許請求の範囲】
【請求項１】
複数の撮影モードを有し、該複数の撮影モードから適宜選択した撮影モードにて撮影を行うデジタルカメラであって、被写体を示す画像を表示する画像表示手段の画面上に、複数の構図補助フレームから選択した１つの構図補助フレームを表示し、この構図補助フレームに合わせて被写体のフレーミングが可能なデジタルカメラの構図補助フレーム選択方法において、
前記複数の構図補助フレームから１つの構図補助フレームを選択する際に、撮影時に選択した撮影モードに応じて前記複数の構図補助フレームから選択可能な構図補助フレームを制限すべく、前記複数の構図補助フレームから前記選択した撮影モードに適した２以上の構図補助フレームを決定するステップと、
前記決定された２以上の構図補助フレームのうちのいずれか１つを前記画像表示手段の画面上に自動的に表示させるステップと、
前記自動的に表示された構図補助フレームを変更する場合に、構図補助フレームを順次送る指示又は戻す指示が入力されると、前記決定された２以上の構図補助フレームの中から前記画像表示手段の画面上に表示させる構図補助フレームを順送り又は逆送り表示させるステップと、
を含むことを特徴とするデジタルカメラの構図補助フレーム選択方法。
【請求項２】
複数の撮影モードを有し、該複数の撮影モードから適宜選択した撮影モードにて撮影を行うデジタルカメラであって、被写体を示す画像を表示する画像表示手段の画面上に、複数の構図補助フレームから選択した１つの構図補助フレームを表示し、この構図補助フレームに合わせて被写体のフレーミングが可能なデジタルカメラの構図補助フレーム選択方法において、
カメラの縦横を検知する検知手段を備え、前記複数の構図補助フレームから１つの構図補助フレームを選択する際に、撮影時に選択した撮影モード及び前記検知手段によって検知されたカメラの縦横に応じて前記複数の構図補助フレームから選択可能な構図補助フレームを制限すべく、前記複数の構図補助フレームから前記選択した撮影モード及び前記検知されたカメラの縦横に適した２以上の構図補助フレームを決定するステップと、
前記決定された２以上の構図補助フレームのうちのいずれか１つを前記画像表示手段の画面上に自動的に表示させるステップと、
前記自動的に表示された構図補助フレームを変更する場合に、構図補助フレームを順次送る指示又は戻す指示が入力されると、前記決定された２以上の構図補助フレームの中から前記画像表示手段の画面上に表示させる構図補助フレームを順送り又は逆送り表示させるステップと、
を含むことを特徴とするデジタルカメラの構図補助フレーム選択方法。
【請求項３】
前記複数の撮影モードは、オート撮影モード、風景モード、人物モード、及び夜景モードのうちの２以上の撮影モードを含むことを特徴とする請求項１又は２のデジタルカメラの構図補助フレーム選択方法。
【請求項４】
複数の撮影モードから任意の撮影モードを選択する撮影モード選択手段と、
前記撮影モード選択手段によって選択された撮影モードに応じて被写体を撮像し、被写体を示す画像信号を出力する撮像手段と、
前記撮像手段から出力される画像信号に基づいて画像を表示する画像表示手段と、
複数の構図補助フレームを記憶する記憶手段と、
前記撮影モード選択手段によって選択された撮影モードに基づいて前記複数の構図補助フレームから選択可能な構図補助フレームを制限する制限手段であって、前記複数の構図補助フレームから前記選択された撮影モードに適した２以上の構図補助フレームを決定する制限手段と、
前記記憶手段に記憶された複数の構図補助フレームから１つの構図補助フレームを選択する構図補助フレーム選択手段であって、前記制限手段によって決定された２以上の構図補助フレームから１つの構図補助フレームを選択する構図補助フレーム選択手段と、
前記構図補助フレーム選択手段によって選択された構図補助フレームを前記画像表示手段の画像上に合成表示させる構図補助フレーム合成手段と、
を備えたことを特徴とするデジタルカメラ。
【請求項５】
複数の撮影モードから任意の撮影モードを選択する撮影モード選択手段と、
前記撮影モード選択手段によって選択された撮影モードに応じて被写体を撮像し、被写体を示す画像信号を出力する撮像手段と、
前記撮像手段から出力される画像信号に基づいて画像を表示する画像表示手段と、
複数の構図補助フレームを記憶する記憶手段と、
カメラの縦横を検知する検知手段と、
前記撮影モード選択手段によって選択された撮影モード及び前記検知手段によって検知されたカメラの縦横に基づいて前記複数の構図補助フレームから選択可能な構図補助フレームを制限する制限手段であって、前記複数の構図補助フレームから前記選択された撮影モード及び前記検知されたカメラの縦横に適した２以上の構図補助フレームを決定する制限手段と、
前記記憶手段に記憶された複数の構図補助フレームから１つの構図補助フレームを選択する構図補助フレーム選択手段であって、前記制限手段によって決定された２以上の構図補助フレームから１つの構図補助フレームを選択する構図補助フレーム選択手段と、
前記構図補助フレーム選択手段によって選択された構図補助フレームを前記画像表示手段の画像上に合成表示させる構図補助フレーム合成手段と、
を備えたことを特徴とするデジタルカメラ。
【請求項６】
前記撮影モード選択手段は、オート撮影モード、風景モード、人物モード、及び夜景モードのうちの２以上の撮影モードから１つの撮影モードを選択することを特徴とする請求項４又は５のデジタルカメラ。
【請求項７】
前記撮影モード選択手段によって選択された撮影モードに応じて被写体輝度を測定する分割エリアの重み付けを変えて被写体輝度を測定する輝度測定手段を有し、前記撮像手段は前記輝度測定手段によって測定された被写体輝度に基づいて露出制御することを特徴とする請求項４、５又は６のデジタルカメラ。
【請求項８】
前記輝度測定手段は、前記撮影モード選択手段によって選択された撮影モードに応じて測定した被写体輝度を補正することを特徴とする請求項７のデジタルカメラ。
【請求項９】
光源種を判別する判別手段を有し、該判別手段により判別した光源種の光源色に適したホワイトバランス補正値に基づくホワイトバランス制御を行うホワイトバランス制御手段を備え、
前記判別手段は、前記撮影時に前記撮影モード選択手段によって選択された撮影モードが屋外に対応する撮影モードの場合には、人工光源の光源種の判定を行わないことを特徴とする請求項４乃至８のいずれかに記載のデジタルカメラ。
【請求項１０】
前記撮像手段から出力される画像信号を記録媒体に記録する記録手段を有することを特徴とする請求項４乃至９のいずれかに記載のデジタルカメラ。
【発明の詳細な説明】
【０００１】
【発明の属する技術分野】
本発明はデジタルカメラの構図補助フレーム選択方法及びデジタルカメラに係り、特に複数の撮影モードを有するデジタルカメラの構図補助フレーム選択方法及びデジタルカメラに関する。
【０００２】
【従来の技術】
近年、「ベストフレーミング機能」を搭載したデジタルカメラが提案されている。この「ベストフレーミング機能」は、画像を表示する液晶モニタ上に構図補助フレームを表示し、これにより初心者でもバランスのよい構図で画像を撮影することができるようにする機能である。
【０００３】
上記構図補助フレームには、液晶モニタ上を縦横に等分割された格子状の罫線からなるフレームや、風景の中に２人以上の人物がいる記念撮影をする場合に適したフレームや、１人の人物を撮影する場合に適したフレーム等があり、これらの構図補助フレームは、撮影者が表示ボタンを押すことにより、液晶モニタ上に表示させることができ、また、マルチファンクションの十字キーを押すごとに構図補助フレームを順次変えて表示することができるようになっている。
【０００４】
【発明が解決しようとする課題】
しかしながら、複数の構図補助フレームから所望の構図補助フレームを選択するのは煩雑であり、特に各種のシーンや縦撮り／横撮りなどに応じて構図補助フレームの数が多くなると、所望の構図補助フレームを選択するのに時間がかかり、シャッタチャンスを逃すおそれがある。
【０００５】
本発明はこのような事情に鑑みてなされたもので、複数の構図補助フレームからシーンに適した構図補助フレームを容易に選択することができるデジタルカメラの構図補助フレーム選択方法及びデジタルカメラを提供することを目的とする。
【０００６】
【課題を解決するための手段】
前記目的を達成するために、本願請求項１に係る発明は、複数の撮影モードを有し、該複数の撮影モードから適宜選択した撮影モードにて撮影を行うデジタルカメラであって、被写体を示す画像を表示する画像表示手段の画面上に、複数の構図補助フレームから選択した１つの構図補助フレームを表示し、この構図補助フレームに合わせて被写体のフレーミングが可能なデジタルカメラの構図補助フレーム選択方法において、前記複数の構図補助フレームから１つの構図補助フレームを選択する際に、撮影時に選択した撮影モードに応じて前記複数の構図補助フレームから選択可能な構図補助フレームを制限すべく、前記複数の構図補助フレームから前記選択した撮影モードに適した２以上の構図補助フレームを決定するステップと、前記決定された２以上の構図補助フレームのうちのいずれか１つを前記画像表示手段の画面上に自動的に表示させるステップと、前記自動的に表示された構図補助フレームを変更する場合に、構図補助フレームを順次送る指示又は戻す指示が入力されると、前記決定された２以上の構図補助フレームの中から前記画像表示手段の画面上に表示させる構図補助フレームを順送り又は逆送り表示させるステップと、を含むことを特徴としている。
【０００８】
本願請求項２に係る発明は、複数の撮影モードを有し、該複数の撮影モードから適宜選択した撮影モードにて撮影を行うデジタルカメラであって、被写体を示す画像を表示する画像表示手段の画面上に、複数の構図補助フレームから選択した１つの構図補助フレームを表示し、この構図補助フレームに合わせて被写体のフレーミングが可能なデジタルカメラの構図補助フレーム選択方法において、カメラの縦横を検知する検知手段を備え、前記複数の構図補助フレームから１つの構図補助フレームを選択する際に、撮影時に選択した撮影モード及び前記検知手段によって検知されたカメラの縦横に応じて前記複数の構図補助フレームから選択可能な構図補助フレームを制限すべく、前記複数の構図補助フレームから前記選択した撮影モード及び前記検知されたカメラの縦横に適した２以上の構図補助フレームを決定するステップと、前記決定された２以上の構図補助フレームのうちのいずれか１つを前記画像表示手段の画面上に自動的に表示させるステップと、前記自動的に表示された構図補助フレームを変更する場合に、構図補助フレームを順次送る指示又は戻す指示が入力されると、前記決定された２以上の構図補助フレームの中から前記画像表示手段の画面上に表示させる構図補助フレームを順送り又は逆送り表示させるステップと、を含むことを特徴としている。
【０００９】
前記複数の撮影モードは、本願請求項３に示すようにオート撮影モード、風景モード、人物モード、及び夜景モードのうちの２以上の撮影モードを含むことを特徴としている。
【００１０】
例えば、撮影モードとして風景モードや夜景モードが選択されている場合には、主として風景や夜景の撮影に適した構図補助フレームを選択可能な構図補助フレームとし、撮影モードとして人物モードが選択されている場合には、主として人物の撮影に適した構図補助フレームを選択可能な構図補助フレームとする。また、カメラを横に構えた場合には、横撮りに適した構図補助フレームを選択可能な構図補助フレームとし、カメラを縦に構えた場合には、縦撮りに適した構図補助フレームを選択可能な構図補助フレームとする。
【００１１】
このように撮影モードやカメラの縦横に応じて複数の構図補助フレームから選択可能な構図補助フレームを絞り込むことにより、構図補助フレームの選択を容易にできるようにする。
【００１２】
本願請求項４に係るデジタルカメラは、複数の撮影モードから任意の撮影モードを選択する撮影モード選択手段と、前記撮影モード選択手段によって選択された撮影モードに応じて被写体を撮像し、被写体を示す画像信号を出力する撮像手段と、前記撮像手段から出力される画像信号に基づいて画像を表示する画像表示手段と、複数の構図補助フレームを記憶する記憶手段と、前記撮影モード選択手段によって選択された撮影モードに基づいて前記複数の構図補助フレームから選択可能な構図補助フレームを制限する制限手段であって、前記複数の構図補助フレームから前記選択された撮影モードに適した２以上の構図補助フレームを決定する制限手段と、前記記憶手段に記憶された複数の構図補助フレームから１つの構図補助フレームを選択する構図補助フレーム選択手段であって、前記制限手段によって決定された２以上の構図補助フレームから１つの構図補助フレームを選択する構図補助フレーム選択手段と、前記構図補助フレーム選択手段によって選択された構図補助フレームを前記画像表示手段の画像上に合成表示させる構図補助フレーム合成手段と、を備えたことを特徴としている。
【００１４】
本願請求項５に係るデジタルカメラは、複数の撮影モードから任意の撮影モードを選択する撮影モード選択手段と、前記撮影モード選択手段によって選択された撮影モードに応じて被写体を撮像し、被写体を示す画像信号を出力する撮像手段と、前記撮像手段から出力される画像信号に基づいて画像を表示する画像表示手段と、複数の構図補助フレームを記憶する記憶手段と、カメラの縦横を検知する検知手段と、前記撮影モード選択手段によって選択された撮影モード及び前記検知手段によって検知されたカメラの縦横に基づいて前記複数の構図補助フレームから選択可能な構図補助フレームを制限する制限手段であって、前記複数の構図補助フレームから前記選択された撮影モード及び前記検知されたカメラの縦横に適した２以上の構図補助フレームを決定する制限手段と、前記記憶手段に記憶された複数の構図補助フレームから１つの構図補助フレームを選択する構図補助フレーム選択手段であって、前記制限手段によって決定された２以上の構図補助フレームから１つの構図補助フレームを選択する構図補助フレーム選択手段と、前記構図補助フレーム選択手段によって選択された構図補助フレームを前記画像表示手段の画像上に合成表示させる構図補助フレーム合成手段と、を備えたことを特徴としている。
【００１５】
前記撮影モード選択手段は、本願請求項６に示すようにオート撮影モード、風景モード、人物モード、及び夜景モードのうちの２以上の撮影モードから１つの撮影モードを選択することを特徴としている。
【００１６】
本願請求項７に係るデジタルカメラは、前記撮影モード選択手段によって選択された撮影モードに応じて被写体輝度を測定する分割エリアの重み付けを変えて被写体輝度を測定する輝度測定手段を有し、前記撮像手段は前記輝度測定手段によって測定された被写体輝度に基づいて露出制御することを特徴としている。
【００１７】
前記輝度測定手段は、本願請求項８に示すように前記撮影モード選択手段によって選択された撮影モードに応じて測定した被写体輝度を補正することを特徴としている。
【００１８】
本願請求項９に係るデジタルカメラは、光源種を判別する判別手段を有し、該判別手段により判別した光源種の光源色に適したホワイトバランス補正値に基づくホワイトバランス制御を行うホワイトバランス制御手段を備え、前記判別手段は、前記撮影時に前記撮影モード選択手段によって選択された撮影モードが屋外に対応する撮影モードの場合には、人工光源の光源種の判定を行わないことを特徴としている。
本願請求項１０に係るデジタルカメラは、更に前記撮像手段から出力される画像信号を記録媒体に記録する記録手段を有することを特徴としている。
【００１９】
【発明の実施の形態】
以下添付図面に従って本発明に係るデジタルカメラの構図補助フレーム選択方法及びデジタルカメラの好ましい実施の形態について詳説する。
【００２０】
図１は本発明に係るデジタルカメラの背面図であり、図２はカメラ上面に設けられたモードダイヤルの平面図である。
【００２１】
図２に示すようにモードダイヤル１は、ダイヤル上のアイコン１Ａ〜１ＦがマークＭに合うように回転させることにより、連写／ブラケティングモード、マニュアル撮影モード、オート撮影モード、人物モード、風景モード、及び夜景モードのうちのいずれかの撮影モードに設定できるようになっている。尚、図２上では、風景モードが設定されている。また、モードダイヤル１の中央には、半押し時にＯＮするスイッチＳ１と、全押し時にＯＮするスイッチＳ２とを有するシャッタボタン２が設けられている。
【００２２】
このデジタルカメラの背面には、図１に示すようにファインダ接眼部３、シフトキー４、表示キー５、撮影モード／再生モード切替えレバー６、キャンセルキー７、実行キー８、マルチファンクションの十字キー９、及び液晶モニタ５２が設けられている。
【００２３】
図３は図１に示したデジタルカメラの内部構成を示すブロック図である。
【００２４】
同図において、撮影レンズ１０及び絞り１２を介して固体撮像素子（ＣＣＤ）１４の受光面に結像された被写体像は、各センサで光の入射光量に応じた量の信号電荷に変換される。このようにして蓄積された信号電荷は、ＣＣＤ駆動回路１６から加えられるリードゲートパルスによってシフトレジスタに読み出され、レジスタ転送パルスによって信号電荷に応じた電圧信号として順次読み出される。尚、このＣＣＤ１４は、蓄積した信号電荷をシャッタゲートパルスによって掃き出すことができ、これにより電荷の蓄積時間（シャッタスピード）を制御する、いわゆる電子シャッタ機能を有している。
【００２５】
ＣＣＤ１４から順次読み出された電圧信号は、相関二重サンプリング回路（ＣＤＳ回路）１８に加えられ、ここで各画素ごとのＲ、Ｇ、Ｂ信号がサンプリングホールドされ、Ａ／Ｄ変換器２０に加えられる。Ａ／Ｄ変換器２０は、ＣＤＳ回路１８から順次加えられるＲ、Ｇ、Ｂ信号を１０ビット（０〜１０２３）のデジタルのＲ、Ｇ、Ｂ信号に変換して出力する。尚、ＣＣＤ駆動回路１６、ＣＤＳ回路１８及びＡ／Ｄ変換器２０は、タイミング発生回路２２から加えられるタイミング信号によって同期して駆動されるようになっている。
【００２６】
前記Ａ／Ｄ変換器２０から出力されたＲ、Ｇ、Ｂ信号は、一旦メモリ２４に格納され、その後、メモリ２４に格納されたＲ、Ｇ、Ｂ信号は、デジタル信号処理回路２６に加えられる。デジタル信号処理回路２６は、同時化回路２８、ホワイトバランス調整回路３０、ガンマ補正回路３２、ＹＣ信号作成回路３４、及びメモリ３６から構成されている。
【００２７】
同時化回路２８は、メモリ２４から読み出された点順次のＲ、Ｇ、Ｂ信号を同時式に変換し、Ｒ、Ｇ、Ｂ信号を同時にホワイトバランス調整回路３０に出力する。ホワイトバランス調整回路３０は、Ｒ、Ｇ、Ｂ信号のデジタル値をそれぞれ増減するための乗算器３０Ｒ、３０Ｇ、３０Ｂから構成されており、Ｒ、Ｇ、Ｂ信号は、それぞれ乗算器３０Ｒ、３０Ｇ、３０Ｂに加えられる。乗算器３０Ｒ、３０Ｇ、３０Ｂの他の入力には、中央処理装置（ＣＰＵ）３８からホワイトバランス制御するためのホワイトバランス補正値（ゲイン値）Ｒｇ、Ｇｇ、Ｂｇが加えられており、乗算器３０Ｒ、３０Ｇ、３０Ｂはそれぞれ２入力を乗算し、この乗算によってホワイトバランス調整されたＲ’、Ｇ’、Ｂ’信号をガンマ補正回路３２に出力する。尚、ＣＰＵ３８からホワイトバランス調整回路３０に加えられるホワイトバランス補正値Ｒｇ、Ｇｇ、Ｂｇの詳細については後述する。
【００２８】
ガンマ補正回路３２は、ホワイトバランス調整されたＲ’、Ｇ’、Ｂ’信号が所望のガンマ特性となるように入出力特性を変更し、また、１０ビットの信号が８ビットの信号となるように変更し、ＹＣ信号作成回路３４に出力する。ＹＣ信号作成回路３４は、ガンマ補正されたＲ、Ｇ、Ｂ信号から輝度信号Ｙとクロマ信号Ｃｒ、Ｃｂとを作成する。これらの輝度信号Ｙとクロマ信号Ｃｒ、Ｃｂ（ＹＣ信号）は、メモリ２４と同じメモリ空間のメモリ３６に格納される。
【００２９】
ここで、メモリ３６内のＹＣ信号を読み出し、ミクサ５１を介して液晶モニタ５２に出力することにより動画又は静止画を液晶モニタ５２に表示させることができる。また、撮影後のＹＣ信号は、圧縮／伸長回路５４によって所定のフォーマットに圧縮されたのち、記録部５６にてメモリカードなどの記録媒体に記録される。更に、再生モード時にはメモリカードなどに記録されている画像データが圧縮／伸長回路５４によって伸長処理された後、ミクサ５１を介して液晶モニタ５２に出力され、液晶モニタ５２に再生画像が表示されるようになっている。
【００３０】
ＣＰＵ３８は、図１に示したモードダイヤル１、シャッタボタン２等を含むカメラ操作部４０、カメラの縦横（縦撮り／横撮り）を検出する縦横センサ４１からの入力に基づいて各回路を統括制御するとともに、オートフォーカス、自動露光制御、オートホワイトバランス、撮影時の構図決定を補助するための構図補助フレームの選択指示等の制御を行う。このオートフォーカス制御は、例えばＧ信号の高周波成分が最大になるように撮影レンズ１０を移動させるコントラストＡＦであり、シャッタボタン２の半押し時にＧ信号の高周波成分が最大になるように駆動部４２を介して撮影レンズ１０を合焦位置に移動させる。
【００３１】
また、自動露光制御は、図４に示すように予め決めた露出▲１▼〜▲４▼にて最大４回Ｒ、Ｇ、Ｂ信号を取り込み、これらのＲ、Ｇ、Ｂ信号を積算した積算値に基づいて被写体輝度（撮影ＥＶ値）を求める。
【００３２】
次に、上記撮影ＥＶ値の測定の詳細について説明する。
【００３３】
図５に示すように、１画面を複数のエリア（８×８）に分割し、各分割エリアごとにＲ、Ｇ、Ｂ信号から求めた輝度信号を積算し、その積算値に基づいて各分割エリアのＥＶ値（ＥＶｉ）を求める。続いて、図５に示すように撮影モードに対応して各分割エリアのＥＶ値に重み付けを行い、画面全体のＥＶ′値を次式によって算出する。
【００３４】
【数１】
ＥＶ′＝log2｛Σ（Ｗi ×２EVi ）／ΣＷi ｝
但し、ｉ：０〜６３（８×８の分割エイアを示す添え字）
Ｗi ：撮影モードに応じた各分割エリアごとの重み係数
即ち、撮影モードがオート／人物モードの場合には、図５（Ａ）の重み付け係数に示すように中央重点測光方式となり、風景モードの場合には、図５（Ｂ）に示すように最外周に位置する分割エリアの重み付けを減じた測光方式となり、夜景モードの場合には、図５（Ｃ）に示すように平均測光方式となる。
【００３５】
上記のように算出したＥＶ′に対し、更に、次式に示すように撮影モードに応じた露出補正ΔＥＶを行って撮影ＥＶ値を求める。
【００３６】
【数２】
ＥＶ＝ＥＶ′−ΔＥＶ
尚、ΔＥＶは、例えば、人物モードの場合にはΔＥＶ＝０、風景モード、夜景モードの場合にはΔＥＶ＝０．３とする。
【００３７】
上記のようにして求めた撮影ＥＶ値に基づいて撮影時の絞り値とシャッタスピードを最終的に決定する。
【００３８】
そして、シャッタボタンの全押し時に前記決定した絞り値になるように絞り駆動部４４を介して絞り１２を駆動し、また、決定したシャッタスピードとなるように電子シャッタによって電荷の蓄積時間を制御する。
【００３９】
次に、図６及び図７に示すフローチャートを参照しながらオートホワイトバランス制御方法について説明する。尚、ストロボ４６からストロボ光を発光する場合には、ストロボ光に対して良好なホワイトバランスを行うためのホワイトバランス補正値Ｒｇ、Ｇｇ、Ｂｇがホワイトバランス調整回路３０に加えられるため、以下、ストロボが発光しない場合のホワイトバランス制御について説明する。
【００４０】
図６は撮影モードとしてオート／人物モードが選択された場合のオートホワイトバランス制御方法を示す。
【００４１】
まず、シャッタボタンの半押し時に求めた撮影ＥＶ値を取得する（ステップＳ１０）。
【００４２】
続いて、シャッタボタンの全押し時にＡ／Ｄ変換器１８から出力された１画面分のＲ、Ｇ、Ｂ信号は一旦メモリ２４に格納されているが、この１画面を複数のエリア（８×８）に分割し、各分割エリアごとにＲ、Ｇ、Ｂ信号の色別の平均積算値を求め、Ｒ信号の積算値とＧ信号の積算値との比Ｒ／Ｇ、及びＢ信号の積算値とＧ信号の積算値との比Ｂ／Ｇを求める（ステップＳ１２）。
【００４３】
上記のようにして各分割エリアごとに求められるＲ／Ｇ、Ｂ／Ｇは、その分割エリアが、図８のグラフ上に表された検出枠のうちのいずれの検出枠内に入るかを判別するために使用される。尚、図６上における日陰−曇り検出枠、昼光色検出枠等の検出枠は、光源種などの色分布の範囲を規定するものである。
【００４４】
尚、各分割エリアごとのＲ、Ｇ、Ｂ信号の平均積算値は、図３の積算回路４８によって算出され、ＣＰＵ３８に加えられている。また、積算回路４８とＣＰＵ３８との間には乗算器５０Ｒ、５０Ｇ、５０Ｂが設けられており、乗算器５０Ｒ、５０Ｇ、５０Ｂには、機器のバラツキを調整するための調整ゲイン値が加えられるようになっている。
【００４５】
次に、日陰−曇りの評価値、蛍光灯（昼光色、昼白色−白色、温白色）の評価値、及びタングステン電球の評価値を、次式、
【００４６】
【数３】
日陰−曇りの評価値＝Ｆ（屋外らしさ）×Ｆ（日陰−曇りらしさ）×Ｆ（青空）
【００４７】
【数４】
昼光色の評価値＝Ｆ1(屋内らしさ）×Ｆ（昼光色蛍光灯らしさ）
【００４８】
【数５】
昼白色−白色の評価値＝Ｆ1(屋内らしさ）×Ｆ（昼白色−白色蛍光灯らしさ）
【００４９】
【数６】
温白色の評価値＝Ｆ1(屋内らしさ）×Ｆ（温白色蛍光灯らしさ）×Ｆ（肌）
【００５０】
【数７】
電球の評価値＝Ｆ2(屋内らしさ）×Ｆ（電球らしさ）×Ｆ（肌）
に基づいて算出する。
【００５１】
上記〔数３〕式において、Ｆ（屋外らしさ）は、図９に示すようにＥＶ値を変数とする屋外らしさを表すメンバシップ関数の値であり、ステップＳ１０で取得したＥＶ値に基づいて求めることができる。
【００５２】
また、〔数４〕式乃至〔数６〕式におけるＦ1(屋内らしさ）は、図１２に示すようにＥＶ値を変数とする屋内（蛍光灯）らしさを表すメンバシップ関数の値であり、〔数７〕式におけるＦ2(屋内らしさ）は、図１２に示すようにＥＶ値（カッコ内の数値）を変数とする屋内（タングステン電球）らしさを表すメンバシップ関数の値である。尚、図９及び図１２に示したＥＶ値は、撮影モードにかかわらず、オート／人物モードにおける中央重点測光モードで測定した値を使用する。
【００５３】
〔数３〕式におけるＦ（日陰−曇りらしさ）は、分割エリアのＥＶ値Ｅviが１２以下の分割エリアであって、図１０に示すように日陰−曇り検出枠内に入る分割エリアの個数を変数とする日陰−曇りらしさを表すメンバシップ関数の値であり、Ｆ（青空）は、分割エリアのＥＶ値Ｅviが１２．５を越えるエリアであって、図１１に示すように屋外晴れ検出枠内に入る分割エリアの個数を変数とする青空を表すメンバシップ関数の値である。
【００５４】
尚、Ｆ（青空）は、青空検出枠に入るエリアの個数が多い程、日陰らしさの評価値を下げる方向に作用する値をとる。また、上記各分割エリアの輝度（ＥＶ値Ｅvi）は、次式、
【００５５】
【数８】
Ｅvi＝Ｅv＋log2（Ｇi／４５）
但し、Ｅv：撮影ＥＶ値
Ｇi：各エリアのＧの平均積算値
に基づいて計算する。上記式中の４５は、Ａ／Ｄ変換後の値の中での適正値である。
【００５６】
同様に、〔数４〕式乃至〔数７〕式におけるＦ（昼光色蛍光灯らしさ）、Ｆ（昼白色−白色蛍光灯らしさ）、Ｆ（温白色蛍光灯らしさ）及びＦ（電球らしさ）は、それぞれ図８に示した昼光色検出枠、昼白色−白色検出枠、温白色検出枠、及びタングステン電球検出枠内に入るエリアの個数を変数とする、図１３に示す電球・蛍光灯らしさを表すメンバシップ関数の値である。
【００５７】
また、〔数６〕式及び〔数７〕式におけるＦ（肌）は、図８に示した肌色検出枠内に入るエリアの個数を変数とする、図１４に示す肌色を表すメンバシップ関数の値である。尚、Ｆ（肌）は、肌色検出枠内のエリア数が多くなるにしたがって電球らしさの評価値を下げるように作用する。これは、肌色があるシーンで、タングステン電球色に対するホワイトバランス制御を強くかけると、赤味が飛んで白っぽくなり顔色が悪くなるからである。
【００５８】
さて、日陰−曇りの評価値、及び昼光色の評価値、昼白色−白色の評価値、温白色の評価値、電球の評価値が算出されると、これらの５つの評価値のうちの最大値が、０．４以上か否かを判別する（図６のステップＳ１６）。そして、最大値が０．４以上の場合には、その最大値をとる評価値の光源色に適したホワイトバランス補正値に基づくホワイトバランス制御を行う（ステップＳ１８）。
【００５９】
一方、最大値が、０．４未満の場合には、デーライト（晴れ）と判別し、デーライトに適したホワイトバランス補正値に基づくホワイトバランス制御を行う（ステップＳ２０）。
【００６０】
ここで、上記ホワイトバランス補正値は、次式、
【００６１】
【数９】
ホワイトバランス補正値＝（オート設定値−晴れ）×評価値＋晴れ
だたし、晴れは、１．０である。また、オート設定値は、各光源色ごとに予め準備されている。尚、日陰−曇り、昼白色−白色、及びタングステン電球のオート設定値は、次のようにして選択される。
【００６２】
（１）日陰−曇りが選択された場合
図８に示す曇り検出枠内に入る分割エリアの個数と、日陰検出枠内に入る分割エリアの個数とを比べ、個数の多い方のオート設定値を採用する。または、２つのオート設定値に対し、個数の多い領域に重みを大きくしてオート設定値を算出する。
【００６３】
（２）昼白色−白色が選択された場合
図８に示す６領域に分割された昼白色−白色検出枠内に入る分割エリアの個数を比べ、一番個数の多い領域のオート設定値を採用する。または、６つのオート設定値に対し、個数の多い順に重みを大きくしてオート設定値を算出する。
【００６４】
（３）タングステン電球が選択された場合
図８に示す２領域に分割されたタングステン検出枠内に入る分割エリアの個数を比べ、個数の多い方のオート設定値を採用する。または、２つのオート設定値に対し、個数の多い領域に重みを大きくしてオート設定値を算出する。
【００６５】
〔数９〕によって求めたホワイトバランス補正値をＲｇ、Ｇｇ、Ｂｇ、補正する信号をＲ、Ｇ、Ｂとすると、前記ホワイトバランス調整回路３０での補正結果をＲ’、Ｇ’、Ｂ’とすると、Ｒ’、Ｇ’、Ｂ’は、次式、
【００６６】
【数１０】
Ｒ’＝Ｒｇ×Ｒ
Ｇ’＝Ｇｇ×Ｇ
Ｂ’＝Ｂｇ×Ｂ
によって表される。
【００６７】
図７は撮影モードとして風景モードが選択された場合のオートホワイトバランス制御方法を示す。尚、図７におけるステップＳ３０及びＳ３２における処理は、図６に示したステップＳ１０及びＳ１２と同じため、その説明は省略する。
【００６８】
上記ステップＳ３０及びＳ３２で求めたＥＶ値、及び各分割エリアごとに求めたＲ／Ｇ、Ｂ／Ｇより、前述の〔数３〕式に示した日陰−曇りの評価値を算出する（ステップＳ３４）。尚、図６のステップＳ１４に示した蛍光灯（昼光色、昼白色−白色、温白色）の評価値、及びタングステン電球の評価値の算出は行わない。これは、風景モードの場合には屋外で撮影されるため、蛍光灯や電球等の人工光源を光源種とすることは考えられないからである。
【００６９】
続いて、ステップＳ３４で求めた日陰−曇りの評価値が、０．４以上か否かを判別する（ステップＳ３６）。そして、最大値が０．４以上の場合には、日陰−曇り用に準備されているオート設定値に基づいて、ホワイトバランス補正値を求め（〔数９〕式参照）、そのホワイトバランス補正値に基づくホワイトバランス制御を行う（ステップＳ３８）。
【００７０】
一方、最大値が、０．４未満の場合には、デーライト（晴れ）と判別し、デーライトに適したホワイトバランス補正値に基づくホワイトバランス制御を行う（ステップＳ４０）。
【００７１】
また、撮影モードとして夜景モードが選択された場合には、オートホワイトバランス制御は行わず、晴れのホワイトバランス補正値に固定する。これにより夜景シーン中に存在する種々の人工光源による影響を受けないホワイトバランス制御を可能にしている。
【００７２】
次に、本発明に係るデジタルカメラの構図補助フレーム選択方法について説明する。
【００７３】
図３に示したＲＯＭ（リードオンリーメモリ）５５には、液晶モニタ５２に表示させるための各種の構図補助フレームを示すフレームデータが記憶されている。
【００７４】
図１５（Ａ）〜（Ｆ）は、それぞれ構図補助フレームＦ１〜Ｆ６の一例を示す図である。図１５（Ａ）及び（Ｂ）に示した構図補助フレームＦ１、Ｆ２は、主に風景撮影に使用されるフレームであり、地平線、水平線や、横方向もしくは縦方向に延びる構造物の水平もしくは垂直がきちんと撮れるように構図を決定する際の目安となるフレームである。
【００７５】
また、図１５（Ｃ）〜（Ｆ）に示した構図補助フレームＦ３〜Ｆ６は、主に人物撮影に使用されるフレームで、構図補助フレームＦ３、Ｆ５は横撮り時に使用されるフレームであり、構図補助フレームＦ３は、１人もしくは２人程度の人物撮影のフレームに使用されるフレームに対し、構図補助フレームＦ５は集合写真に使用されるフレームである。また、構図補助フレームＦ４、Ｆ６は縦撮り時に使用されるフレームである。
【００７６】
上記の人物用の構図補助フレームＦ３〜Ｆ６を使用すると、人物は中央に配置される。通常、レンズには歪曲収差があるものが多く、また、レンズの周辺のボケなども有しているが、構図補助フレームＦ３〜Ｆ６を使用することにより、レンズの周辺の品質劣化を避けることができる。また、画像データをプリントするサービスにおいて、周辺がカットされることがあるが、このことからも人物を中央に配置するのが好ましい。
【００７７】
さて、液晶モニタ５２に構図補助フレームを表示させる場合には、表示キー５（図１参照）を２回押す。即ち、表示キー５の１回目の押下により液晶モニタ５２に被写体を示す動画を表示させ、２回目の押下により動画に構図補助フレームを合成表示するベストフレーミングモードにする。尚、表示キー５の３回目の押下により液晶モニタ５２上の表示を消すことができる。
【００７８】
ベストフレーミングモードが設定されると、ＣＰＵ３８からの指令によってＲＯＭ５５から適宜の構図補助フレームを示すフレームデータが読み出され、ミクサ５１に加えられる。
【００７９】
ミクサ５１にはメモリ３６から動画を示すＹＣ信号が加えられており、ミクサ５１は、例えば、ＹＣ信号のうちの輝度信号Ｙに高輝度のフレームデータを混合して液晶モニタ５２に出力する。これにより、液晶モニタ５２には、被写体を示す動画に構図補助フレーム（白線）が合成された合成画像が表示される。
【００８０】
次に、ベストフレーミングモード設定時のＣＰＵ３８における構図補助フレームの選択指示動作について説明する。
【００８１】
ＣＰＵ３８には、図３に示したようにモードダイヤル１、十字キー９等を含むカメラ操作部４０及びカメラの縦横（縦撮り／横撮り）を検出する縦横センサ４１から操作信号や検出信号が加えられるようになっており、ＣＰＵ３８は、モードダイヤル１からの信号により現在の撮影モードが、風景モード、夜景モード、オート撮影モード、及び人物モードのうちのいずれの撮影モードが設定されているか、また、縦横センサ４１からの検出信号により縦撮りか横撮りかを判別する。
【００８２】
そして、撮影モード及び縦撮り／横撮りに応じて、図１５に示した構図補助フレームＦ１〜Ｆ６のうち、次表に示ように選択可能な構図補助フレームを決定する。
【００８３】
【表１】
0004679685.tif 000002
上記〔表１〕に示すように、撮影モードが風景モード又は夜景モードで、横撮りの場合には、構図補助フレームＦ１、Ｆ２、Ｆ３が選択可能なフレームであり、この中から所望のフレームが十字キー９の左右キーによって選択される。即ち、構図補助フレームＦ１が最初に表示され、その後、右キーがワンプッシュされるごとに、構図補助フレームＦ２→Ｆ３→Ｆ１の順に順次表示される。一方、左キーがワンプッシュされると、上記と逆方向に構図補助フレームが順次表示される。
【００８４】
同様に、撮影モードが風景モード又は夜景モードで、縦撮りの場合には、構図補助フレームＦ１、Ｆ２、Ｆ４が選択可能なフレームであり、この中から所望のフレームが十字キー９の左右キーによって選択される。
【００８５】
上記のように風景モード又は夜景モードが選択されると、主に風景撮影に使用される構図補助フレームＦ１、Ｆ２が選択可能となり、更に予備的に構図補助フレームＦ３（横撮りの場合）、構図補助フレームＦ４（縦撮りの場合）も選択できるようになっている。尚、図１６及び図１７は、それぞれ風景モード及び夜景モード時に液晶モニタ５２に構図補助フレームＦ１が表示されているデジタルカメラの背面図である。
【００８６】
また、撮影モードがオート撮影モードで、横撮りの場合には、構図補助フレームＦ３、Ｆ５、Ｆ１、Ｆ２が選択可能なフレームであり、縦撮りの場合には、構図補助フレームＦ４、Ｆ６、Ｆ１、Ｆ２が選択可能なフレームである。即ち、オート撮影モードの場合には、横撮りか縦撮りかに応じて人物撮影に使用される構図補助フレームＦ３、Ｆ５又は構図補助フレームＦ４、Ｆ６が選択可能となるとともに、風景撮影に使用される構図補助フレームＦ１、Ｆ２も選択可能となる。尚、図１８はオート撮影モード時に液晶モニタ５２に構図補助フレームＦ３が表示されているデジタルカメラの背面図である。
【００８７】
更に、撮影モードが人物モードで、横撮りの場合には、構図補助フレームＦ５、Ｆ３、Ｆ１が選択可能なフレームであり、縦撮りの場合には、構図補助フレームＦ６、Ｆ４、Ｆ１が選択可能なフレームである。即ち、人物モードの場合には、横撮りか縦撮りかに応じて人物撮影に使用される構図補助フレームＦ５、Ｆ３又は構図補助フレームＦ６、Ｆ４が選択可能となり、更に予備的に構図補助フレームＦ１も選択できるようになっている。尚、図１９は人物モード時に液晶モニタ５２に構図補助フレームＦ５が表示されているデジタルカメラの背面図である。
【００８８】
尚、撮影モード及び縦撮り／横撮りに応じて選択可能な構図補助フレームは、前述した〔表１〕に示した実施の形態に限らず、例えば、風景／夜景モードの場合には、構図補助フレームＦ１、Ｆ２とし、人物モードでの縦撮りの場合には構図補助フレームＦ５、Ｆ３とし、横撮りの場合には構図補助フレームＦ６、Ｆ４としてもよい。更に、風景／夜景モードの場合には、構図補助フレームＦ１とし、人物モードでの縦撮りの場合には構図補助フレームＦ５とし、横撮りの場合には構図補助フレームＦ６としてもよく、この場合には、撮影モードや縦撮り／横撮りが決定されると、自動的に１つの構図補助フレームが決定されることになる。
【００８９】
また、構図補助フレームは、図１５に示したものに限定されず、種々のものが考えられる。
【００９０】
更に、この実施の形態では、選択された撮影モードと、縦撮り／横撮りとの両方から予め準備されている複数の構図補助フレームから選択可能な構図補助フレームを絞り込むようにしているが、これに限らず、選択された撮影モードのみによってその撮影モードで選択可能な構図補助フレームを絞り込むようにしてもよいし、縦撮り／横撮りのみによって選択可能な構図補助フレームを絞り込むようにしてもよい。
【００９１】
【発明の効果】
以上説明したように本発明によれば、風景／夜景モード、人物モード等の撮影モード、又は撮影モードと縦撮り／横撮りとの組み合わせに応じて、予め準備されている複数の構図補助フレームのうちから選択可能の構図補助フレームを絞り込むようにしたため、シーンや縦撮り／横撮りに適した構図補助フレームを容易に選択することができる。
【図面の簡単な説明】
【図１】本発明に係るデジタルカメラの背面図
【図２】図１に示したデジタルカメラの上面に設けられたモードダイヤルの平面図
【図３】図１に示したデジタルカメラの内部構成を示すブロック図
【図４】撮影ＥＶ値の求め方を説明するために用いた図
【図５】撮影モード別の測光方式を説明するために用いた図
【図６】オートホワイトバランス制御方法を説明するために用いたフローチャート
【図７】オートホワイトバランス制御方法を説明するために用いたフローチャート
【図８】光源種などの色分布の範囲を示す検出枠を示すグラフ
【図９】屋外らしさを表すメンバシップ関数を示すグラフ
【図１０】日陰−曇りらしさを表すメンバシップ関数を示すグラフ
【図１１】青空を表すメンバシップ関数を示すグラフ
【図１２】屋内らしさを表すメンバシップ関数を示すグラフ
【図１３】電球・蛍光灯らしさを表すメンバシップ関数を示すグラフ
【図１４】肌色を表すメンバシップ関数を示すグラフ
【図１５】構図補助フレームの一例を示す図
【図１６】風景モード時に液晶モニタに構図補助フレームが表示されているデジタルカメラの背面図
【図１７】夜景モード時に液晶モニタに構図補助フレームが表示されているデジタルカメラの背面図
【図１８】オート撮影モード時に液晶モニタに構図補助フレームが表示されているデジタルカメラの背面図
【図１９】人物モード時に液晶モニタに構図補助フレームが表示されているデジタルカメラの背面図
【符号の説明】
１…モードダイヤル、２…シャッタボタン、５…表示キー、９…十字キー、１０…撮影レンズ、１２…絞り、１４…固体撮像素子（ＣＣＤ）、２４、３６…メモリ、２６…デジタル信号処理回路、３０…ホワイトバランス調整回路、３０Ｒ、３０Ｇ、３０Ｂ…乗算器、３８…中央処理装置（ＣＰＵ）、４０…カメラ操作部、４１…縦横センサ、４８…積算回路、５１…ミクサ、５２…液晶モニタ、５４…圧縮／伸長回路、５５…ＲＯＭ、５６…記録部、Ｆ１〜Ｆ６…構図補助フレーム
【図１】
0004679685.tif 000003
【図２】
0004679685.tif 000004
【図３】
0004679685.tif 000005
【図４】
0004679685.tif 000006
【図５】
0004679685.tif 000007
【図６】
0004679685.tif 000008
【図７】
0004679685.tif 000009
【図８】
0004679685.tif 000010
【図９】
0004679685.tif 000011
【図１０】
0004679685.tif 000012
【図１１】
0004679685.tif 000013
【図１２】
0004679685.tif 000014
【図１３】
0004679685.tif 000015
【図１４】
0004679685.tif 000016
【図１５】
0004679685.tif 000017
【図１６】
0004679685.tif 000018
【図１７】
0004679685.tif 000019
【図１８】
0004679685.tif 000020
【図１９】
0004679685.tif 000021